【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
複数のファンクション機能を機能種別毎に表示すると共に、該表示されたファンクション機能を選択し実行する第１のファンクションメニュー手段と、複数のファンクション機能を表示すると共に、該表示されたファンクション機能を選択し実行する第２のファンクションメニュー手段と、前記第１のファンクションメニュー手段の複数のファンクション機能のうち選択されたファンクション機能を前記第２のファンクションメニュー手段に登録するファンクション機能登録手段とを備えたことを特徴とする通信装置。
【請求項２】
前記ファンクション機能登録手段によって前記第２のファンクションメニュー手段に登録されたファンクション機能の表示する順番を変更するファンクション機能表示順番変更手段を備えたことを特徴とする請求項１に記載の通信装置。
【請求項３】
前記第２のファンクションメニュー手段は、一番最近に使用されたファンクション機能から新しい順に表示することを特徴とする請求項１または２に記載の通信装置。
【請求項４】
前記第２のファンクションメニュー手段は、登録されているファンクション機能と同じファンクション機能が使用された場合には、そのファンクション機能を一番最近使用されたファンクション機能として表示することを特徴とする請求項１乃至３のいずれかに記載の通信装置。
【請求項５】
前記第２のファンクションメニュー手段は、登録されているファンクション機能と同じファンクション機能が使用された場合には、その表示順番を変更しないで表示することを特徴とする請求項１乃至４のいずれかに記載の通信装置。
【請求項６】
前記第２のファンクションメニュー手段に登録されているファンクション機能と異なるファンクション機能が使用された場合は、使用された前記ファンクション機能を前記第２のファンクションメニュー手段に登録するファンクション機能追加登録手段を備えたことを特徴とする請求項１乃至５のいずれかに記載の通信装置。
【請求項７】
前記第２のファンクションメニュー手段に登録されているファンクション機能から所定のファンクション機能を削除するファンクション機能削除手段を備えたことを特徴とする請求項１乃至６のいずれかに記載の通信装置。
【請求項８】
前記第２のファンクションメニュー手段に登録されているファンクション機能と異なるファンクション機能が使用された場合は、前記第２のファンクションメニュー手段に登録されているファンクション機能のうち、一番古いファンクション機能を削除すると共に、該使用されたファンクション機能を一番新しいファンクション機能として前記第２のファンクションメニュー手段に登録するファンクション機能削除登録手段を備えたことを特徴とする請求項１乃至７のいずれかに記載の通信装置。
【請求項９】
前記通信装置は電話装置であることを特徴とする請求項１乃至８のいずれかに記載の通信装置。
【請求項１０】
複数のファンクション機能を機能種別毎に表示すると共に、該表示されたファンクション機能を選択し実行する第１のファンクションメニューと、複数のファンクション機能を表示すると共に、該表示されたファンクション機能を選択し実行する第２のファンクションメニューとを有し、前記第１のファンクションメニューの複数のファンクション機能のうち選択されたファンクション機能を前記第２のファンクションメニューに登録することを特徴とする通信装置の操作方法。
【請求項１１】
前記第２のファンクションメニューに登録されたファンクション機能の表示する順番を変更することを特徴とする請求項１０に記載の通信装置の操作方法。
【請求項１２】
前記第２のファンクションメニューは、一番最近に使用されたファンクション機能から新しい順に表示することを特徴とする請求項１０または１１に記載の通信装置の操作方法。
【請求項１３】
前記第２のファンクションメニューは、登録されているファンクション機能と同じファンクション機能が使用された場合には、そのファンクション機能を一番最近使用されたファンクション機能として表示することを特徴とする請求項１０乃至１２のいずれかに記載の通信装置の操作方法。
【請求項１４】
前記第２のファンクションメニューは、登録されているファンクション機能と同じファンクション機能が使用された場合には、その表示順番を変更しないで表示することを特徴とする請求項１０乃至１３のいずれかに記載の通信装置の操作方法。
【請求項１５】
前記第２のファンクションメニューに登録されているファンクション機能と異なるファンクション機能が使用された場合は、使用された前記ファンクション機能を前記第２のファンクションメニューに登録することを特徴とする請求項１０乃至１４のいずれかに記載の通信装置の操作方法。
【請求項１６】
前記第２のファンクションメニューに登録されているファンクション機能から所定のファンクション機能を削除することを特徴とする請求項１０乃至１５のいずれかに記載の通信装置の操作方法。
【請求項１７】
前記第２のファンクションメニューに登録されているファンクション機能と異なるファンクション機能が使用された場合は、前記第２のファンクションメニューに登録されているファンクション機能のうち、一番古いファンクション機能を削除すると共に、該使用されたファンクション機能を一番新しいファンクション機能として前記第２のファンクションメニューに登録することを特徴とする請求項１０乃至１６のいずれかに記載の通信装置の操作方法。
【手続補正２】
【補正対象書類名】明細書
【補正対象項目名】発明の名称
【補正方法】変更
【補正の内容】
【発明の名称】通信装置および通信装置の操作方法
【手続補正３】
【補正対象書類名】明細書
【補正対象項目名】０００１
【補正方法】変更
【補正の内容】
【０００１】
本発明は、通信装置および通信装置の操作方法、より詳細には、ファクシミリ，電話，携帯電話等の通信装置において、複数のファンクション機能が記憶されている第３のボタンを有し、該第３のボタンを押すたびに、使用されたファンクション機能を順に表示器に表示するようにし、少ないタッチで使いたいファンクション機能を呼びだすことが出来、しかも、選択し易いようにした通信装置および通信装置の操作方法に関する。
【手続補正４】
【補正対象書類名】明細書
【補正対象項目名】０００４
【補正方法】変更
【補正の内容】
【０００４】
請求項１の発明は、複数のファンクション機能を機能種別毎に表示すると共に、該表示されたファンクション機能を選択し実行する第１のファンクションメニュー手段と、複数のファンクション機能を表示すると共に、該表示されたファンクション機能を選択し実行する第２のファンクションメニュー手段と、前記第１のファンクションメニュー手段の複数のファンクション機能のうち選択されたファンクション機能を前記第２のファンクションメニュー手段に登録するファンクション機能登録手段とを備えたものである。
請求項２の発明は、請求項１の発明において、前記ファンクション機能登録手段によって前記第２のファンクションメニュー手段に登録されたファンクション機能の表示する順番を変更するファンクション機能表示順番変更手段を備えたものである。
【手続補正５】
【補正対象書類名】明細書
【補正対象項目名】０００５
【補正方法】変更
【補正の内容】
【０００５】
請求項３の発明は、請求項１または２の発明において、前記第２のファンクションメニュー手段は、一番最近に使用されたファンクション機能から新しい順に表示するものである。
【手続補正６】
【補正対象書類名】明細書
【補正対象項目名】０００６
【補正方法】変更
【補正の内容】
【０００６】
請求項４の発明は、請求項１乃至３のいずれかの発明において、前記第２のファンクションメニュー手段は、登録されているファンクション機能と同じファンクション機能が使用された場合には、そのファンクション機能を一番最近使用されたファンクション機能として表示するものである。
【手続補正７】
【補正対象書類名】明細書
【補正対象項目名】０００７
【補正方法】変更
【補正の内容】
【０００７】
請求項５の発明は、請求項１乃至４のいずれかの発明において、前記第２のファンクションメニュー手段は、登録されているファンクション機能と同じファンクション機能が使用された場合には、その表示順番を変更しないで表示するものである。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
請求項６の発明は、請求項１乃至５のいずれかの発明において、前記第２のファンクションメニュー手段に登録されているファンクション機能と異なるファンクション機能が使用された場合は、使用された前記ファンクション機能を前記第２のファンクションメニュー手段に登録するファンクション機能追加登録手段を備えたものである。
請求項７の発明は、請求項１乃至６のいずれかの発明において、前記第２のファンクションメニュー手段に登録されているファンクション機能から所定のファンクション機能を削除するファンクション機能削除手段を備えたものである。
【手続補正１０】
【補正対象書類名】明細書
【補正対象項目名】００１０
【補正方法】変更
【補正の内容】
【００１０】
請求項８の発明は、請求項１乃至７のいずれかの発明において、前記第２のファンクションメニュー手段に登録されているファンクション機能と異なるファンクション機能が使用された場合は、前記第２のファンクションメニュー手段に登録されているファンクション機能のうち、一番古いファンクション機能を削除すると共に、該使用されたファンクション機能を一番新しいファンクション機能として前記第２のファンクションメニュー手段に登録するファンクション機能削除登録手段を備えたものである。
【手続補正１１】
【補正対象書類名】明細書
【補正対象項目名】００１１
【補正方法】変更
【補正の内容】
【００１１】
請求項９の発明は、請求項１乃至８のいずれかに記載の通信装置を電話装置としたものである。
請求項１０の発明は、複数のファンクション機能を機能種別毎に表示すると共に、該表示されたファンクション機能を選択し実行する第１のファンクションメニューと、複数のファンクション機能を表示すると共に、該表示されたファンクション機能を選択し実行する第２のファンクションメニューとを有し、前記第１のファンクションメニューの複数のファンクション機能のうち選択されたファンクション機能を前記第２のファンクションメニューに登録するものである。
請求項１１の発明は、請求項１０の発明において、前記第２のファンクションメニューに登録されたファンクション機能の表示する順番を変更するものである。
請求項１２の発明は、請求項１０または１１の発明において、前記第２のファンクションメニューは、一番最近に使用されたファンクション機能から新しい順に表示するものである。
請求項１３の発明は、請求項１０乃至１２のいずれかの発明において、前記第２のファンクションメニューは、登録されているファンクション機能と同じファンクション機能が使用された場合には、そのファンクション機能を一番最近使用されたファンクション機能として表示するものである。
請求項１４の発明は、請求項１０乃至１３のいずれかの発明において、前記第２のファンクションメニューは、登録されているファンクション機能と同じファンクション機能が使用された場合には、その表示順番を変更しないで表示するものである。
請求項１５の発明は、請求項１０乃至１４のいずれかにの発明において、前記第２のファンクションメニューに登録されているファンクション機能と異なるファンクション機能が使用された場合は、使用された前記ファンクション機能を前記第２のファンクションメニューに登録するものである。
請求項１６の発明は、請求項１０乃至１５のいずれかの発明において、前記第２のファンクションメニューに登録されているファンクション機能から所定のファンクション機能を削除するものである。
請求項１７の発明は、請求項１０乃至１６のいずれかの発明において、前記第２のファンクションメニューに登録されているファンクション機能と異なるファンクション機能が使用された場合は、前記第２のファンクションメニューに登録されているファンクション機能のうち、一番古いファンクション機能を削除すると共に、該使用されたファンクション機能を一番新しいファンクション機能として前記第２のファンクションメニューに登録するものである。